(57)【要約】【課題】キッチンでの作業や食器洗い機の使用時において、洗浄工程の途中で食器洗い機の一時停止をせず、洗浄槽が引き出される場合でも、確実に洗浄ポンプによる洗浄ノズルから噴射される洗浄水が機外に飛び出すのを防止する食器洗い機を提供する。【解決手段】洗浄槽１７の前面に設けられるとともに手を引っ掛けるための引っ掛け部１８ａを有する取っ手１８と、取っ手１８内に移動自在に設けられる取っ手レバー１９とを有し、取っ手レバー１９が押されて移動することにより、引っ掛け部１８ａに手をかけるための空間３０が現れるよう構成した。【選択図】図２
2011206130.tif 000002
【特許請求の範囲】
【請求項１】
被洗浄物を収納する洗浄槽と、前記洗浄槽を前後方向へ移動可能に収納する洗浄機本体と、前記洗浄槽の前面に設けられるとともに手を引っ掛けるための引っ掛け部を有する取っ手と、前記取っ手内に移動自在に設けられる取っ手レバーと、を有し、前記取っ手レバーが押されて移動することにより、前記引っ掛け部に手を掛けるための空間が現れる食器洗い機。
【請求項２】
前記洗浄槽の前記洗浄機本体に対する前後方向への移動をロックおよびロック解除するロック手段と、前記取っ手レバーの動作を検知する取っ手レバー動作検知手段と、を備え、前記取っ手レバーは、前記取っ手レバー動作検知手段を検知せしめた後に前記ロック手段をロック解除する請求項１に記載の食器洗い機。
【発明の詳細な説明】
【技術分野】
【０００１】
本発明は洗浄ノズルより食器類に向けて洗浄水を噴射して食器類を洗浄するビルトインタイプの食器洗い機に関するものである。
【背景技術】
【０００２】
従来、この種の食器洗い機は図６〜８のように構成している（例えば、特許文献１参照）。
【０００３】
図６〜８は、特許文献１に記載された従来の食器洗い機を示すものである。図６〜８に示すように、システムキッチンに収容され、洗浄機本体１の内部に設けた洗浄槽２は、上方に開口部２ａを設け、内部に食器類３を収納する洗浄かご４を配置している。洗浄かご４の下方には洗浄ノズル５を回転自在に設けており、洗浄槽２内に溜めた洗浄水を洗浄ポンプ６によって循環させ、洗浄ノズル５より噴射して食器類３を洗浄する。また、洗浄槽２の下方にはレールなどで構成されるスライド機構７を固定し、前後方向へ平行移動可能に支持されている。
【０００４】
食器類３の出し入れを行う際には、洗浄槽２を前方に引き出し、開口部２ａより食器類３の収容をする。次に洗浄槽２を洗浄機本体１内に戻し、収納するとともに洗浄機本体１内の上部空間に待機していた蓋体８が洗浄機本体１内側面に配置したリンク機構等（図示せず）により後方へ移動しつつ降下して洗浄槽２の開口部２ａを閉塞するように構成している。
【０００５】
洗浄槽２の前面には取っ手９が取付けられており、前方より洗浄槽２を引き出したり、食器洗い機の操作を行うとともに、扉１０内部に設けた制御基板等（図示せず）を保護している。また、洗浄槽２の前方上面にはロック片１１が突出しており、ロック片１１は洗浄槽２を洗浄機本体１内に収納している状態において、洗浄機本体１の前方に設けたロック板１２に係止することで洗浄槽２の収納状態を保つことができ、運転中や未使用時に洗浄槽２が飛び出すのを防いでいる（図７（ａ）参照）。係止状態を解除するためには、取っ手９内に設けた取っ手レバー１３を操作し、ロック片１１を下方に移動させることでロック板１２を避け、係止状態が解除され、洗浄槽２を前方に引き出すことが可能となる（図７（ｂ）参照）。
【０００６】
また、扉１０の内部に取っ手レバー１３の動作を検知する取っ手スイッチ１４を設けるとともに、洗浄機本体１の後方内部に洗浄槽２の収納状態を検知する引き込みスイッチ１５を設け、運転中に洗浄槽２を引き出そうとしたときの取っ手レバー１３の回転動作や、洗浄機本体１に対する洗浄槽２の前後位置を検知し、食器洗い機の運転動作を停止させたり、洗浄槽２を収納していない状態で運転が行えないよう制御している。
【先行技術文献】
【特許文献】
【０００７】
【特許文献１】特開２００９−８９８３４号公報
【発明の概要】
【発明が解決しようとする課題】
【０００８】
しかしながら、前記従来の構成では、取っ手レバー１３を掴むと同時に洗浄槽２が引き出し可能であり、洗浄工程の途中で食器洗い機の一時停止をせず、洗浄槽２が引き出される場合、取っ手レバー１３の回動と同時に取っ手スイッチ１４が検知しながら洗浄槽２が引き出されるため、引き出し動作の速さによっては、洗浄ポンプ６の停止が遅れ、洗浄ノズル５からの噴射によって、機外に洗浄水が飛び出してしまう可能性があるという課題を有していた。
【０００９】
本発明は、上記従来の課題を解決するもので、取っ手レバーを動作することで、はじめて取っ手を掴むことを可能とすることで、洗浄工程の途中で食器洗い機の一時停止をせず、洗浄槽が引き出される場合でも、確実に洗浄ポンプによる洗浄ノズルから噴射される洗浄水が機外に飛び出すのを防ぐ食器洗い機を提供することを目的とする。
【課題を解決するための手段】
【００１０】
前記従来の課題を解決するために、本発明の食器洗い機は、被洗浄物を収納する洗浄槽と、前記洗浄槽を前後方向へ移動可能に収納する洗浄機本体と、前記洗浄槽の前面に設けられるとともに手を引っ掛けるための引っ掛け部を有する取っ手と、前記取っ手内に移動自在に設けられる取っ手レバーと、を有し、前記取っ手レバーが押されて移動することにより、前記引っ掛け部に手を掛けるための空間が現れる構成としたものである。
【００１１】
これによって、取っ手レバーを動作することで、はじめて取っ手を掴むことを可能とすることで、洗浄工程の途中で食器洗い機の一時停止をせず、洗浄槽が引き出される場合でも、確実に洗浄ポンプによる洗浄ノズルから噴射される洗浄水が機外に飛び出すのを防ぐことができる。
【発明の効果】
【００１２】
本発明の食器洗い機は、取っ手レバーを動作することで、はじめて取っ手を掴むことを可能とすることで、洗浄工程の途中で食器洗い機の一時停止をせず、洗浄槽が引き出される場合でも、確実に洗浄ポンプによる洗浄ノズルから噴射される洗浄水が機外に飛び出すのを防ぐことができる。
【図面の簡単な説明】
【００１３】
【図１】本発明の実施の形態１における食器洗い機の縦断面図
【図２】（ａ）本発明の実施の形態１における食器洗い機のロック状態の取っ手レバー部断面図（ｂ）同食器洗い機のロック解除状態の取っ手レバー部断面図
【図３】本発明の実施の形態１における食器洗い機の要部斜視図
【図４】（ａ）本発明の実施の形態１における食器洗い機のロック状態の要部平面図（ｂ）同食器洗い機のロック解除状態の要部平面図
【図５】本発明の実施の形態１における食器洗い機の取っ手スイッチ部断面図
【図６】従来の食器洗い機の縦断面図
【図７】（ａ）従来の食器洗い機の取っ手レバー部のロック状態を示す断面図（ｂ）同取っ手レバー部のロック解除状態を示す断面図
【図８】従来の食器洗い機の洗浄槽収納状態検知部の断面図
【発明を実施するための形態】
【００１４】
第１の発明は、被洗浄物を収納する洗浄槽と、前記洗浄槽を前後方向へ移動可能に収納する洗浄機本体と、前記洗浄槽の前面に設けられるとともに手を引っ掛けるための引っ掛け部を有する取っ手と、前記取っ手内に移動自在に設けられる取っ手レバーと、を有し、前記取っ手レバーが押されて移動することにより、前記引っ掛け部に手を掛けるための空間が現れる構成としたことにより、取っ手レバーを動作させない限り、取っ手の内部に手を掛けることができる空間が現れず、引っ掛け部を前方に引くことができないようにすることにより、取っ手レバーを動作することで、はじめて取っ手を掴むことが可能となり、洗浄工程の途中で食器洗い機の一時停止をせず、洗浄槽が引き出される場合でも、確実に洗浄ポンプによる洗浄ノズルから噴射される洗浄水が機外に飛び出すのを防ぐことができる。
【００１５】
第２の発明は、第１の発明において、前記洗浄槽の前記洗浄機本体に対する前後方向への移動をロックおよびロック解除するロック手段と、前記取っ手レバーの動作を検知する取っ手レバー動作検知手段と、を備え、前記取っ手レバーは、前記取っ手レバー動作検知手段を検知せしめた後に前記ロック手段をロック解除する構成としたことにより、取っ手レバーの動作により取っ手スイッチ（取っ手レバー動作検知手段）の検知をさせ洗浄ポンプを停止し、遅れてロック片がロック板から解除されロック手段をロック解除して洗浄槽を引き出すため、より確実に洗浄ポンプによって洗浄ノズルから噴射される洗浄水が機外に飛び出すのを防ぐことができる。
【００１６】
以下、本発明の実施の形態について、図を参照しながら説明する。なお、従来例と同じ構成のものは同一符号を付して説明を省略する。また、この実施の形態によって本発明が限定されるものではない。
【００１７】
（実施の形態１）
図１〜５は、本発明の第１の実施の形態における食器洗い機を示すものである。図１〜５において、扉１６の上方中央には前方より洗浄槽１７を引き出す際に手を掛けるための取っ手１８を設け、取っ手１８内には、扉１６に支持され、上方へ向け回動可能な取っ手レバー１９を設けている。取っ手レバー１９の回動軸２０（第１回動中心）まわりに回動する動作角度θ１は、取っ手レバー１９にその一端２０ａを固定連結した回動軸２０によって洗浄槽１７の側壁方向へ伝達される。
【００１８】
また、取っ手レバー１９は、下面１９ａの前方から手の届く部分を突出部や窪みのない平らな面とし、洗浄槽１７を前方に引き出すための手を掛ける部分がなく、取っ手レバー１９を上方へ回動することで、取っ手１８の前壁部の内部に設けた引っ掛け部１８ａに手を掛けることができる空間３０が現れるよう構成している。
【００１９】
洗浄槽１７が洗浄機本体１内に収納され、前後方向への移動がロックされた状態では、図２（ａ）に示すように、取っ手１８の引っ掛け部１８ａと取っ手レバー１９の下面１９ａとの間には、引っ掛け部１８ａに手を掛けて前方に引き出すに十分な空間が無いように構成してある。そして、取っ手レバー１９を上方に押して角度θ１回動させ、図２（ｂ）に示す位置関係になってはじめて、取っ手レバー１９の下面１９ａの下方で引っ掛け部１８ａの後方に、引っ掛け部１８ａに手を掛けるための空間３０が創生され、現れるという構成である。
【００２０】
取っ手レバー１９を上方に押して移動させる上限位置は、取っ手１８の上面内側１８ｂによって規制している。
【００２１】
図２（ａ）に示すロックされた自然状態において、引っ掛け部１８ａの下端と取っ手レバー１９の下面１９ａの最下点（本実施の形態では、下面１９ａの前端）とをほぼ同じ高さに構成してあり、引き出すに十分な空間を無くすることに加えて、食器洗い機を前方から見たときに、取っ手レバー１９が取っ手１８内に隠れて見えず、良好な外観を実現することができる。
【００２２】
回動軸２０は、図２〜４に示すように、断面略円形の線材で形成され、上記のように一端２０ａは取っ手レバー１９に連結され、その一端２０ａから直線状に形成された直線部は略水平左右方向に洗浄槽１７の一方の側壁（本実施例の場合は左側の側壁）方向へと伸び、他端２０ｂは斜め下方に折り曲げてロック片２１と連結されている。
【００２３】
ここで、ロック片２１とロック板２３を主要構成要素とし、洗浄槽１７の洗浄機本体１に対する前後方向への移動をロックおよびロック解除するロック手段について説明する。
【００２４】
図３および図４に示すように、洗浄槽１７の前側上部で一方の側壁近傍には、ロック部を円弧状のレバーで形成し、その先端に爪部２４を備えたロック片２１が設けてある。このロック片２１には垂直方向に軸２２（第２回動中心）を設け、ロック片２１を軸２２を中心に上から見て略水平面内で回転自在に取付けている。ロック片２１は洗浄機本体１の側壁内面に設けたロック板２３に当接させて係止するための爪部２４と弾性をもつヒンジ部２５を一体で形成しており、ロック板２３に係止されたロック時には、ヒンジ部２５が扉１６の前壁裏面１６ａと当接することで扉１６の側壁の開口部２６より爪部２４が突出した位置で位置決め保持される。
【００２５】
そして、ロック片２１の軸２２と爪部２４の間には回動軸２０の他端２０ｂを挿入するための穴部２７を設けており、回動軸２０の側壁側の端部である他端２０ｂが穴部２７と連結され、取っ手レバー１９が回動する動きをロック片２１の回転動作に変換するよう構成している。この構成によって、取っ手レバー１９の動作角度θ１の回転は、回動軸２０によってロック片２１に伝達され、回動軸２０を支点に動作角度θ２の回転に変換される。
【００２６】
また、図３および図５に示すように、扉１６内の取っ手１８の近傍には取っ手レバー１９の動作を検知するための取っ手スイッチ２８（取っ手レバー動作検知手段）を設けるとともに、図１に示すように、洗浄機本体１の後方内部に洗浄槽１７の収納状態を検知する引き込みスイッチ２９（洗浄槽収納状態検知手段）を設け、運転中に洗浄槽１７を引き出そうとしたときの取っ手レバー１９の回転動作や、洗浄機本体１に対する洗浄槽１７の前後位置を検知し、食器洗い機の運転動作を停止させたり、洗浄槽１７を収納していない状態で運転が行えないよう制御している。
【００２７】
また、ロック片２１とロック板２３と引き込みスイッチ２９は、正面から見てすべて左側の側壁側に配置されている。
【００２８】
なお、取っ手レバー１９の動作角度θ１は、ロック解除の際の確実な操作感と取っ手スイッチ２８の確実な動作を実現するため、および取っ手レバー１９を取っ手１８内に収納するため、大きめの角度（例えば、２０度程度）に設定してある。また、爪部２４を長くすると、製造誤差等のため、ロック解除の際に扉１６の側壁の開口部２６内に完全に収納できなかったり、引っ掛かったりするという不具合が発生するので、動作角度θ２はθ１より小さく設定し、ロック解除動作を確実なものとしている。
【００２９】
また、図４、図５に示すように、取っ手スイッチ２８は、取っ手レバー１９の回動によってロック片２１の動作角度θ２に変換される角度より小さいθ３で動作するよう構成することで、ロック片２１がロック板２３から解除されるより早く検知し、スイッチオフするよう構成している。
【００３０】
以上のように構成された食器洗い機について、以下その動作、作用を説明する。
【００３１】
まず、被洗浄物である食器類３を洗浄槽１７内にセットした後、洗浄槽１７の前面に設けた扉１６を押し、洗浄槽１７を洗浄機本体１内に収納するが、洗浄槽１７が洗浄機本体１内に完全に収納される直前に扉１６の側壁の開口部２６より突出したロック片２１の爪部２４と洗浄機本体１内に設けたロック板２３の斜面同士が当接する。
【００３２】
この状態で洗浄槽１７をさらに押し込むと、ロック片２１がロック板２３によって軸２２を支点に回転し、ロック片２１に一体で形成したヒンジ部２５がたわむことで一時的に爪部２４が開口部２６の内部に変位して収納され、洗浄槽１７が洗浄機本体１内に完全に収納される。洗浄槽１７が完全に収納されると、爪部２４がロック板２３を乗り越えて後方に位置する為、ヒンジ部２５の反発によって再び開口部２６より爪部２４が突出した状態に戻る。この状態において爪部２４とロック板２３は、洗浄槽１７を前方に引張る方向に対してくさび状に引っ掛かる形状となっている為、洗浄機本体１と洗浄槽１７がロックされた状態で保持される（図２（ａ）および図４（ａ）参照）。
【００３３】
運転終了後、食器類３を取り出す場合は、取っ手１８内に設けた取っ手レバー１９を、取っ手１８の上面内側１８ｂに当接もしくはそれに近い位置まで上方に持ち上げることで、先述した通り、取っ手１８の内部に手を掛けることができる空間３０が創生されて現れ、ここではじめて引っ掛け部１８ａを前方に引くことが可能になる。同時に、取っ手レバー１９は連結した回動軸２０を支点にθ１の角度で回転する（図２（ｂ）参照）。θ１の回転は、回動軸２０によってロック片２１に伝達され、回動軸２０を支点にθ２の回転に変換される。ロック片２１がθ２の角度で回転することにより、爪部２４が開口部２６の内部に変位して収納され、洗浄機本体１と洗浄槽１７のロック状態が解除される。これにより取っ手レバー１９を上方に持ち上げている間は洗浄機本体１に対し、洗浄槽１７が出し入れ可能な状態となる（図４（ｂ）参照）。なお、図４（ｂ）における破線は、図４（ａ）と同じ状態を示すもので、洗浄槽１７を洗浄機本体１内に収納する途中のロック片２１の動作の理解に供するためのものである。
【００３４】
また、運転中に洗浄槽１７を引き出す場合においても、取っ手レバー１９を上方に持ち上げた動作を検知する取っ手スイッチ２８と、洗浄機本体１に対する洗浄槽１７の前後位置を検知する引き込みスイッチ２９を併用することで、引き出し動作に入る前に取っ手レバー１９の操作中に洗浄ポンプ６の動作をすばやく停止させることができるとともに、引き出し後取っ手レバー１９から手を離して取っ手レバー１９の角度が元に戻り、取っ手スイッチ２８がＯＮの状態になっても、引き込みスイッチ２９がＯＦＦの状態となり、引き出し状態を検知して運転を停止させることができる。
【００３５】
また、取っ手スイッチ２８は、取っ手レバー１９の回動によってロック片２１の動作角度θ２に変換される角度より小さいθ３で動作するため、ロック片２１がロック板２３から解除されるより早く検知し、スイッチオフすることができるため、確実に洗浄ポンプ６の動作停止後にロック解除を行うことができる。
【００３６】
よって、取っ手レバー１９を動作することで取っ手スイッチ２８を検知し、洗浄ポンプ６を停止したあとで、はじめて取っ手１８を掴むことを可能とすることで、洗浄工程の途中で食器洗い機の一時停止をせずに洗浄槽１７が引き出される場合でも、確実に洗浄ポンプ６による洗浄ノズル５から噴射される洗浄水が機外に飛び出すのを防ぐことができる。
【産業上の利用可能性】
【００３７】
以上のように、本発明にかかる食器洗い機は、取っ手レバーを動作することで、はじめて取っ手を掴むことを可能とすることで、確実に洗浄ポンプによる洗浄ノズルから噴射される洗浄水が機外に飛び出すのを防ぐことが可能となるので、上方に開口部を有し、洗浄槽を引き出して食器類の出し入れを行うビルトイン型食器洗い機等として有用である。
【符号の説明】
【００３８】
１      洗浄機本体
３      食器類（被洗浄物）
１７    洗浄槽
１８    取っ手
１８ａ  引っ掛け部
１９    取っ手レバー
２０    回動軸
２１    ロック片（ロック手段）
２３    ロック板（ロック手段）
２８    取っ手スイッチ（取っ手レバー動作検知手段）
２９    引き込みスイッチ
３０    空間
【図１】
2011206130.tif 000003
【図２】
2011206130.tif 000004
【図３】
2011206130.tif 000005
【図４】
2011206130.tif 000006
【図５】
2011206130.tif 000007
【図６】
2011206130.tif 000008
【図７】
2011206130.tif 000009
【図８】
2011206130.tif 000010